(57)【要約】【課題】枯れることのない長尺の常花を風雨に晒されることなく墓前に献花でき、且つ、地面振動に抗して花立てを安定して位置保持させながら必要に応じて容易に取り出して常花の取替えを行い得るようにすること。【解決手段】台座部１Ａと、該台座部１Ａに一体的に設けられ、前面が開口１Ｃされた枠体１Ｂと、該枠体１Ｂの前面の開口１Ｃを開閉自在に閉鎖する透明な扉１Ｄとから構成された常花ケース１と、前記常花ケースに収納される少なくとも１つの花立て５と、該花立て５を前記台座部１Ａに対して位置保持する位置保持手段６と、前記花立て５に生けられる常花７とからなる。【選択図】      図１
2004176510.tif 000002
【特許請求の範囲】
【請求項１】
墓石３の前に設置される台座部１Ａと、該台座部１Ａに一体的に設けられ、前面が開口１Ｃされた常花７を収納する高さを持つ枠体１Ｂと、該枠体１Ｂの前面の開口１Ｃを開閉自在に閉鎖する透明な扉１Ｄとから構成された常花ケース１と、
前記常花ケースに収納される少なくとも１つの花立て５と、
該花立て５を前記台座部１Ａに対して位置保持する位置保持手段６と、
前記花立て５に生けられる常花７、
とからなる墓石用常花ケース。
【請求項２】
上記位置保持手段６が、前記台座部１Ａに設けられた磁性体８と前記花立て５に設けられた磁性体８とから構成されている、
請求項１の墓石用常花ケース。
【請求項３】
上記位置保持手段６が、前記花立て５の底部が嵌合するように前記台座部１Ａに設けられた凹部９から構成されている、
請求項１の墓石用常花ケース。
【請求項４】
上記花立て５が、左右一対設けられ、両者の間に線香立て２が設けられている、
請求項１乃至請求項３の墓石用常花ケース。
【発明の詳細な説明】
【０００１】
【発明の属する分野】
本発明は、墓石の前に供える常花のための墓石用常花ケースに関する。
【０００２】
【従来の技術】
従来、墓石を対象とした仏具として、本来備えているものに線香立て（香台）、蝋燭立て、灯明、仏花立て（生け花）があった。
前述の線香立ては、墓石そのものに供えたものの他、墓石と別個に作成した収納箱に香台を置き、また、蝋燭立てを置くようにしたものが知られている（実開昭６２−４０１５６号）。
【０００３】
こうした収納箱は、線香や蝋燭が風や雨で消えたりするのを防止するのを目的として提案されたものであり、通気孔や扉等の種々の構造改革がなされ、例えば、実用新案登録第３０１７３２０号、特開兵１０−８８８６７号において提案されたものがある。
【０００４】
一方、花立てとしては、墓石と一体又は別体として仏花を供えるものが用いられているが、特にお盆のような高温下では生け花は直ぐに枯れてしまい、真に見苦しい限りであって、また、これを廃棄するための手間もかかるが、こうした花立てをケースに構成したとしても、水分補給を行う装置を備えない限り（そうした装置は高くつくと共に何れ枯れるものである）、その問題解決にならないところから、その改良案についてこれまで提案がなされてこなかった。
【０００５】
【発明が解決しようとする課題】
こうした仏花（生け花）に対し、金属（真鍮等）や木製の独特の形状で長尺の常花が存在するが、これまで、こうした常花を墓石に備えるという考えは起きて来なかった。
また、これまでの線香や蝋燭を収納するケースは、風雨、通気のための配慮はなされているが、長尺の常花を収納できる大きさに構成されているものではなく、これをそのまま用いて花立てを収納することは出来ず、また、長尺の常花を取り替えるには、十分な大きさの収納ケースでなければならないと共に常花をケースに引っ掛けて損傷することなく、取り替えるには花立てと共にケースに出し入れ出来るようにする必要がある。
【０００６】
従って、花立て（真鍮製が多い）をケースに載置するようにしなければならないが、ここに一つの問題がある、
即ち、家屋の仏壇の花立ては、戸外の振動を家屋が吸収してくれて、仏壇の花立てに直接伝わることがなく、単に載置するだけで十分であるが、地面に載置された墓石及びここに載置される収納ケースは、地面を伝播する自動車、鉄道、建設重機機等の諸々の振動の影響を受け易く、花立てがその台座部を滑って移動し、常花をケース内面に衝突させ、場合によっては花立てを倒してしまうという事態が多々ある。
【０００７】
このように、花立てが倒れたり、不測に位置ズレを起こしたり、常花を損傷することは、墓前であるだけに絶対に避けたいことである。
従って、花立てが容易に移動しないが収納ケースから簡単に取り出せるようにすることが望まれる。
【０００８】
本発明は、かかる問題点に鑑み、枯れることのない長尺の常花を風雨に晒されることなく墓前に献花でき、且つ、花立てを安定して位置保持させながら容易に取り出して常花の取替えを行い得るところの墓石用常花ケースを提供することを目的とする。
【００１０】
【課題を解決するための手段】
本発明にかかる墓石用常花ケースは、上記目的を達成するために、墓石３の前に設置される台座部１Ａと、該台座部１Ａに一体的に設けられ、前面が開口１Ｃされた常花７を収納する高さを持つ枠体１Ｂと、該枠体１Ｂの前面の開口１Ｃを開閉自在に閉鎖する透明な扉１Ｄとから構成された常花ケース１と、前記常花ケースに収納される少なくとも１つの花立て５と、該花立て５を前記台座部１Ａに対して位置保持する位置保持手段６と、前記花立て５に生けられる常花７、とからなることを特徴とする。
【００１１】
【発明の実施の態様】
本発明において、上記位置保持手段６が、前記台座部１Ａに設けられた磁性体８と前記花立て５に設けられた磁性体８とから構成されているのが好ましい。これによって、花立て５の安定した位置保持と、所定の力を加えるだけで容易に花立て５を台座部１Ａから外すことが出来る。この場合の、磁性体８は、互いに磁石と磁石でも、一方を鉄片等の磁性体とするのも良い。
【００１２】
また、上記位置保持手段６が、前記花立て５の底部が嵌合するように前記台座部１Ａに設けられた凹部９から構成されているのが好ましい。この手段によっても、花立て５の安定した位置保持と、上方への持ち上げ力を加えるだけで容易に花立て５を台座部１Ａから外すことが出来る。勿論、この場合には、前記枠体１Ｂは、常花７に比して余裕のある高さに構成されることが好ましい。
【００１３】
更に、上記花立て５が、左右一対設けられ、両者の間に線香立て２が設けられているのが好ましい。これは、線香を上げることも同時に可能にする。また、この構成は、本発明の実施例の構成であるが、ケースを、１つの常花７に見合った高さの直方体に構成して、２基作成し、夫々を墓前の左右前面に配置するようにしてもよい。
【００１４】
【実施例】
以下、本発明にかかる墓石用常花ケースの好適実施例について、図面を参照して詳述する。
図１は、本発明にかかる墓石用常花ケースの全体の斜視図であり、図２は、これを墓石３の前面に配置した状態を示し、図３は、要部の縦断面図であり、同様に図４は別の態様を示す要部の縦断側面図である。
【００１５】
この墓石用の常花ケース１は、墓石３の前に設置される台座部１Ａと、該台座部１Ａに一体的に設けられ、前面が開口１Ｃされた常花７を収納する高さを持つ枠体１Ｂと、該枠体１Ｂの前面の開口１Ｃを開閉自在に閉鎖する透明な扉１Ｄとから構成されている。前記扉１Ｄは、その開閉は、台座部１Ａの上面及び枠体１Ｂの天井部下面に溝を穿ち、側方からスライドさせて嵌め込む方式としている。しかし、観音式の、片開き、扉１Ｄの上辺を回転軸とする持ち上げ、或いは逆に下辺を回転軸とする引き開きの扉としても良い。
【００１６】
この実施例では、前記台座部１Ａ及び枠体１Ｂは、石により製作されており、前記透明な扉１Ｄは、ガラス製である。しかし、常花ケース１全体を合成樹脂製とし、また、扉１Ｄも透明な合成樹脂板とすることも問題ない。そして、この実施例では、線香のための空気を取り入れ、且つ煙を逃がすべく扉１Ｄの下部及び上部に小さな通気孔４が形成されている。
【００１７】
そして、この実施例では、前記常花ケース１に収納される２つの花立て５が用いられる。こうした花立て５は、通常真鍮製であるが、適宜の素材のものを用いてもよい。
また、前記花立て５を前記台座部１Ａに対して位置保持する位置保持手段６が設けられている。
【００１８】
この位置保持手段６は、この実施例では、図３に示すように、花立て５の底部に設けた磁性体８、ここでは永久磁石と、前記台座部１Ａの所定の位置に設けられた磁性体８、ここでは鉄片とから構成されている。
【００１９】
しかし、図４に示すように、前記位置保持手段６を、前記花立て５の底部が嵌合するように前記台座部１Ａに設けられた凹部９から構成してもよい。この場合、前期磁性体８を用いるのに比べて強固な位置保持は難しいが、振動に伴う花立て５の横滑りを阻止する効果は十分に期待できる。
【００２０】
そして、前記花立て５に生けられる常花７が用いられる。この常花７は、長尺の特異な意匠の花であるという特徴を失わないようにして、墓石用の常花ケース１として作成されるのが好ましい。ここでは、真鍮製の常花７が用いられる。この常花７は、前記花立手５に投入されるだけであるが、必要に応じて花立て５に着脱自在に固定できるようにしてもよい。
【００２１】
また、この実施例では、上記花立て５が、左右一対設けられる構成であるので、両者の間に線香立て２が設けられている。これによって、線香を上げることもできる。尚、必要に応じて蝋燭立てを併設しても良い。
【００２２】
【発明の効果】
本発明に係る墓石用常花ケースによれば、枯れることのない長尺の常花を風雨に晒されることなく墓前に献花でき、且つ、地面振動に抗して花立てを安定して位置保持させながら必要に応じて容易に取り出して常花の取替えを行い得る利点がある。
本発明のその他の利点は、発明の実施の態様の項及び実施例の項において詳述したとおりである。
【図面の簡単な説明】
【図１】本発明にかかるの墓石用常花ケースの全体の斜視図である。
【図２】本発明にかかるの墓石用常花ケースの使用例を示す全体の斜視図である。
【図３】本発明にかかるの墓石用常花ケースの位置保持手段を示す縦断側面図である。
【図３】本発明にかかるの墓石用常花ケースの位置保持手段を示す縦断側面図である。
【図４】本発明にかかるの墓石用常花ケースの位置保持手段の別の態様を示す縦断側面図である。
【符号の説明】
１  常花ケース
１Ａ  台座部
１Ｂ  枠体
１Ｃ  開口
１Ｄ  扉
２  線香立て
３  墓石
５  花立て
６  位置保持手段
７  常花
８  磁性体
９  凹部
【図１】
2004176510.tif 000003
【図２】
2004176510.tif 000004
【図３】
2004176510.tif 000005
【図４】
2004176510.tif 000006
【図５】
2004176510.tif 000007
【手続補正書】
【提出日】平成15年2月7日(2003.2.7)
【手続補正１】
【補正対象書類名】明細書
【補正対象項目名】図面の簡単な説明
【補正方法】変更
【補正の内容】
【図面の簡単な説明】
【図１】本発明にかかる墓石用常花ケースの全体の斜視図である。
【図２】本発明にかかる墓石用常花ケースの使用例を示す全体の斜視図である。
【図３】本発明にかかる墓石用常花ケースの位置保持手段を示す縦断側面図である。
【図４】本発明にかかる墓石用常花ケースの位置保持手段の別の態様を示す縦断側面図である。
【図５】本発明にかかる墓石用常花ケースの別の態様を示す全体の斜視図である。
【符号の説明】
１  常花ケース
１Ａ  台座部
１Ｂ  枠体
１Ｃ  開口
１Ｄ  扉
２  線香立て
３  墓石
５  花立て
６  位置保持手段
７  常花
８  磁性体
９  凹部